(57)【要約】      （修正有）【課題】顔料インクと染料インクとが接触した場合でも、顔料インクの成分の分散性を良好に維持できるインクセットを提供する。【解決手段】顔料を含む顔料インクと、下記式（ｙ−１）で表される化合物又はその塩を含む染料インクと、を備えたインクセット。2020122092.tif 000059・・・（ｙ−１）【選択図】なし【特許請求の範囲】
【請求項１】
顔料を含む顔料インクと、
下記式（ｙ−１）で表される化合物又はその塩を含む染料インクと、を備えたインクセット。
【化１】
2020122092.tif 000042
・・・（ｙ−１）
【請求項２】
請求項１において、
前記染料インクにおける前記式（ｙ−１）で表される化合物又はその塩の含有量が、前記染料インクに含まれる染料の全量に対して、６０．０質量％以上９０．０質量％以下である、インクセット。
【請求項３】
請求項１又は請求項２において、
前記染料インクは、下記式（ｙ−２）で表される化合物又はその塩をさらに含む、インクセット。
【化２】
2020122092.tif 000043
・・・（ｙ−２）
【請求項４】
請求項１ないし請求項３のいずれか一項において、
前記染料インクは、下記式（ｙ−３）で表される化合物又はその塩をさらに含む、インクセット。
【化３】
2020122092.tif 000044
・・・（ｙ−３）
【請求項５】
請求項１ないし請求項４のいずれか一項において、
前記染料インクは、下記式（ｙ−４）で表される化合物又はその塩をさらに含む、インクセット。
【化４】
2020122092.tif 000045
・・・（ｙ−４）
【請求項６】
請求項１ないし請求項５のいずれか一項において、
前記染料インクは、Ｃ．Ｉ．ダイレクトイエロー８６をさらに含む、インクセット。
【請求項７】
請求項１ないし請求項６のいずれか一項において、
前記染料インクは、Ｃ．Ｉ．ダイレクトイエロー１３２をさらに含む、インクセット。
【請求項８】
請求項１ないし請求項７のいずれか一項において、
前記染料インクは、ｓｐ値が１２．５以下の有機溶剤を、５．０質量％以上含む、インクセット。
【請求項９】
請求項１ないし請求項８のいずれか一項において、
下記式（ｃ−１）で表される化合物又はその塩、
【化５】
2020122092.tif 000046
・・・（ｃ−１）
下記式（ｃ−２）で表される化合物又はその塩、
【化６】
2020122092.tif 000047
・・・（ｃ−２）
下記式（ｃ−３）で表される化合物又はその塩、
【化７】
2020122092.tif 000048
・・・（ｃ−３）
（式（ｃ−３）中、ｂは、０≦ｂ≦４を満たし、ｃは、０≦ｃ≦４を満たし、ｂ＋ｃは、１≦（ｂ＋ｃ）≦４を満たす整数を表し、環Ａ１、Ａ２及びＡ３は、それぞれ、ベンゼン環、２，３−ピリジン環及び３，２−ピリジン環から選択され、かつ、環Ａ１、Ａ２及びＡ３の少なくとも一つは、２，３−ピリジン環又は３，２−ピリジン環であり、環Ａ１、Ａ２及びＡ３は同一でも異なっていてもよい。）
下記式（ｃ−４）で表される化合物又はその塩、
【化８】
2020122092.tif 000049
・・・（ｃ−４）
下記式（ｃ−５）で表される化合物又はその塩、
【化９】
2020122092.tif 000050
・・・（ｃ−５）
（式（ｃ−５）中、環Ａ１、Ａ２及びＡ３は、それぞれ、ベンゼン環、２，３−ピリジン環及び３，２−ピリジン環から選択され、かつ、環Ａ１、Ａ２及びＡ３の少なくとも一つは、２，３−ピリジン環又は３，２−ピリジン環であり、環Ａ１、Ａ２及びＡ３は同一でも異なっていてもよく、ａは、１．０≦ａ≦３．０を満たし、ｂは、０．２≦ｂ≦１．８を満たし、ｃは、０．８≦ｃ≦１．６を満たし、かつ、ａ、ｂ及びｃは、０≦ａ＋ｂ＋ｃ≦４を満たし、ｘは、１≦ｚ≦３を満たす整数であり、Ｒ１は、炭素原子数１以上６以下の直鎖アルキレン基である。）
下記式（ｃ−６）で表される化合物又はその塩、
【化１０】
2020122092.tif 000051
・・・（ｃ−６）
（式（ｃ−６）中、環Ａ、Ｂ、Ｃ、及びＤはそれぞれ独立に芳香性を有する６員環であり、かつ、環Ａ、Ｂ、Ｃ、及びＤの少なくともひとつはピリジン環又はピラジン環である。Ｅはアルキレン基である。Ｘは、スルホ置換アニリノ基、カルボキシ置換アニリノ基、又はホスホノ置換アニリノ基であり、該置換アニリノ基はさらに、スルホン酸基、カルボキシ基、ホスホノ基、スルファモイル基、カルバモイル基、ヒドロキシ基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる置換基を１乃至４個有してもよい。Ｙはヒドロキシ基又はアミノ基である。ａは、０．０≦ａ≦２．０を満たし、ｂは、０．０≦ｂ≦３．０を満たし、ｃは、０．１≦ｃ≦３．０を満たし、かつ、ａ、ｂ及びｃは、１．０≦ａ＋ｂ＋ｃ≦４．０を満たす。）
下記式（ｃ−７）で表される化合物又はその塩、
【化１１】
2020122092.tif 000052
・・・（ｃ−７）
（式（ｃ−７）中、環Ａ、Ｂ、Ｃ及びＤは、それぞれ独立に、ベンゼン環又は含窒素複素芳香環を表し、かつ、前記含窒素複素芳香環の数は０．０より大きく３．０以下であるとともに残りはベンゼン環である。Ｒ１はアルキル基を表し、Ｒ２はアルキレン基を表し、Ｘは１以上のスルホン酸基を有するアニリノ基を表す。Ｘはカルボキシ基、リン酸基、ヒドロキシ基、アルコキシ基、アルキルカルボニルアミノ基、ウレイド基、ニトロ基、及びハロゲン原子からなる群より選択される置換基をさらに有してもよい。ｍは、０．０＜ｍ＜３．９であり、ｎは、０．１≦ｎ＜４．０であり、かつ、ｍ及びｎは、１．０≦（ｍ＋ｎ）＜４．０である。）
下記式（ｃ−８）で表される化合物又はその塩、
【化１２】
2020122092.tif 000053
・・・（ｃ−８）
（式（ｃ−８）中、Ｒ１ないしＲ２４は、それぞれ独立に、水素原子、ハロゲン原子、アルキル基、シクロアルキル基、アルケニル基、アルキニル基、アリール基、アラルキル基、アシル基、アシルアミノ基、スルホニルアミノ基、アルコキシ基、アリールオキシ基、ヒドロキシ基、アミノ基、ニトロ基、シアノ基、スルホン酸基、カルボン酸基、スルファモイル基、カルバモイル基、アルコキシスルホニル基、アルコキシカルボニル基、アリールオキシスルホニル基、又はアリールオキシカルボニル基を表し、以下の（Ｘ）及び（Ｙ）の少なくとも一方を満たす。（Ｘ）Ｒ１ないしＲ２４の少なくとも１つが、スルホン酸基、又はカルボン酸基である。（Ｙ）Ｒ６、Ｒ７、Ｒ８、Ｒ９、Ｒ１６、Ｒ１７、Ｒ１８、及びＲ１９の少なくとも１つが、ハロゲン原子、アシル基、ニトロ基、又はシアノ基である。）
下記式（ｃ−９）で表される化合物又はその塩、
【化１３】
2020122092.tif 000054
・・・（ｃ−９）
（式（ｃ−９）中、Ｒ１、Ｒ２、Ｒ３、及びＲ４は、それぞれ独立に、アルキル基、シクロアルキル基、アルケニル基、アラルキル基、アリール基、又はヘテロ環基を表し、Ｒ１、Ｒ２、Ｒ３、及びＲ４の少なくとも１つにはイオン性基が置換している。ｗ、ｘ、ｙ、及びｚは、それぞれ独立に１又は２を表す。）
及び、
Ｃ．Ｉ．ダイレクトブルー１９９から選択される１種又は２種以上を含む、シアンインクと、
下記式（ｍ−１）で表される化合物又はその塩、
【化１４】
2020122092.tif 000055
・・・（ｍ−１）
下記式（ｍ−２）で表される化合物又はその塩、
【化１５】
2020122092.tif 000056
・・・（ｍ−２）
下記式（ｍ−３）で表される化合物又はその塩、
【化１６】
2020122092.tif 000057
・・・（ｍ−３）
（式（ｍ−３）中、Ｒ１、Ｒ５、Ｒ６及びＲ１０は、それぞれ独立に、アルキル基を表す。Ｒ３及びＲ８は、それぞれ独立に、水素原子、アルキル基、アルコキシ基、又はアリールオキシ基を表し、アルキル基、アルコキシ基、及びアリールオキシ基は、アルキル基、アリール基、アリールアルキル基、ヒドロキシル基、カルバモイル基、スルファモイル基、アルコキシ基、シアノ基、ハロゲン原子、及びイオン性基からなる置換基群より選択される少なくとも１種の置換基を有していてもよい。Ｒ２、Ｒ４、Ｒ７及びＲ９は、それぞれ独立に、水素原子、又は下記式（ｍ−３’）で表されるアシルアミノ基を表し、Ｒ２、Ｒ４、Ｒ７及びＲ９の少なくとも１つは下記式（ｍ−３’）で表されるアシルアミノ基である。Ｚは、ＳＯ３Ｈ基、ＳＯ３Ｍ基（Ｍはアンモニウムイオン又はアルカリ金属イオンを表す）、又はスルファモイル基を表す。Ｒ２、Ｒ３、Ｒ４、Ｒ７、Ｒ８及びＲ９の少なくとも１つが、イオン性基で置換されている場合には、ｎは０乃至３の整数を表し、イオン性基で置換されていない場合には、ｎは１ないし３の整数を表し、Ｚが存在する場合は芳香環の少なくとも１つの水素原子の位置に置換している。）
【化１７】
2020122092.tif 000058
・・・（ｍ−３’）
（式（ｍ−３’）中、Ｒ１１は、アルキル基、シクロアルキル基、アリール基、アリールアルキル基、アルケニル基、又はヘテロ環基を表し、アルキル基、シクロアルキル基、アリール基、アリールアルキル基、アルケニル基、及びヘテロ環基は、アルキル基、アリール基、アリールアルキル基、アルケニル基、アルコキシ基、シアノ基、アルキルアミノ基、スルホアルキル基、カルバモイル基、スルファモイル基、スルホニルアミノ基、ハロゲン原子、及びイオン性基からなる置換基群より選択される少なくとも１種の置換基を有していてもよい。＊は式（ｍ−３）の芳香環との結合部位を表す。）
及び、
Ｃ．Ｉ．ダイレクトレッド２２７から選択される１種又は２種以上を含む、マゼンタインクと、
をさらに含む、インクセット。
【発明の詳細な説明】
【技術分野】
【０００１】
本発明は、インクセットに関する。
【背景技術】
【０００２】
インクジェット法により画像を記録するために、各種のインクセットが用いられている。インクセットに含まれるインクは、それぞれ種々の成分を含有しており、所望の色の画像を得るために、例えば、染料、顔料等の着色剤を含有している。
【０００３】
インクセットには、互いに異なる色の着色剤を含有する複数のインクが備えられる。またインクセットは、互いに異なる種類の着色剤を含有する複数のインクによって構成される場合がある。例えば、特許文献１には、水系の顔料インクと、水系の染料インクと、を含むインクセットが開示されている。
【先行技術文献】
【特許文献】
【０００４】
【特許文献１】国際公開第２０１８／０７９４２２号
【発明の概要】
【発明が解決しようとする課題】
【０００５】
顔料インクと染料インクとを含むインクセットをインクジェット記録に用いる場合、例えば、記録ヘッドのクリーニング操作等により両者が接触すると、インクの分散性が破壊され吐出性能が劣化する場合があった。これは、顔料インクの成分の分散が、染料インクに含まれるイオンにより影響を受けることが一因であると考えられる。
【０００６】
特許文献１には、染料インクのイオン量を小さく抑えることが提案されている。しかし、染料インク中のイオン量を小さくするには、染料の添加量を小さくする必要があり、発色性を維持する点で限界があった。また、染料分子の構造をより複雑化して発色性を向上させることが考えられるが、この場合には、染料自体の溶解性を維持するためにカルボキシル基やスルホニル基等のイオン解離型の官能基が必要となる場合があり、必ずしも染料インク中のイオンの量を少なくすることにはつながらない場合がある。
【０００７】
一方、顔料インクの成分の分散は、イオンの影響を受けるだけではなく、ｐＨ、比誘電率、顔料の径、分子間力等、さまざまな要因に支配されている。そのため、インクの分散性を調節する場合には、イオンの量のみに着目するだけでは不十分である。
【０００８】
したがって、顔料インクと染料インクとが接触した場合でも、顔料インクの成分の分散性を良好に維持できるインクセットが求められる。
【課題を解決するための手段】
【０００９】
本発明に係るインクセットの一態様は、
顔料を含む顔料インクと、
下記式（ｙ−１）で表される化合物又はその塩を含む染料インクと、を備える。
【００１０】
【化１】
2020122092.tif 000002
・・・（ｙ−１）
【００１１】
上記インクセットの態様において、
前記染料インクにおける前記式（ｙ−１）で表される化合物又はその塩の含有量が、前記染料インクに含まれる染料の全量に対して、６０．０質量％以上９０．０質量％以下であってもよい。
【００１２】
上記インクセットのいずれかの態様において、
前記染料インクは、下記式（ｙ−２）で表される化合物又はその塩をさらに含んでもよい。
【００１３】
【化２】
2020122092.tif 000003
・・・（ｙ−２）
【００１４】
上記インクセットのいずれかの態様において、
前記染料インクは、下記式（ｙ−３）で表される化合物又はその塩をさらに含んでもよい。
【００１５】
【化３】
2020122092.tif 000004
・・・（ｙ−３）
【００１６】
上記インクセットのいずれかの態様において、
前記染料インクは、下記式（ｙ−４）で表される化合物又はその塩をさらに含んでもよい。
【００１７】
【化４】
2020122092.tif 000005
・・・（ｙ−４）
【００１８】
上記インクセットのいずれかの態様において、
前記染料インクは、Ｃ．Ｉ．ダイレクトイエロー８６をさらに含んでもよい。
【００１９】
上記インクセットのいずれかの態様において、
前記染料インクは、Ｃ．Ｉ．ダイレクトイエロー１３２をさらに含んでもよい。
【００２０】
上記インクセットのいずれかの態様において、
前記染料インクは、ｓｐ値が１２．５以下の有機溶剤を、５．０質量％以上含んでもよい。
【００２１】
上記インクセットのいずれかの態様において、
下記式（ｃ−１）で表される化合物又はその塩、
【００２２】
【化５】
2020122092.tif 000006
・・・（ｃ−１）
【００２３】
下記式（ｃ−２）で表される化合物又はその塩、
【００２４】
【化６】
2020122092.tif 000007
・・・（ｃ−２）
【００２５】
下記式（ｃ−３）で表される化合物又はその塩、
【００２６】
【化７】
2020122092.tif 000008
・・・（ｃ−３）
【００２７】
（式（ｃ−３）中、ｂは、０≦ｂ≦４を満たし、ｃは、０≦ｃ≦４を満たし、ｂ＋ｃは、１≦（ｂ＋ｃ）≦４を満たす整数を表し、環Ａ１、Ａ２及びＡ３は、それぞれ、ベンゼン環、２，３−ピリジン環及び３，２−ピリジン環から選択され、かつ、環Ａ１、Ａ２及びＡ３の少なくとも一つは、２，３−ピリジン環又は３，２−ピリジン環であり、環Ａ１、Ａ２及びＡ３は同一でも異なっていてもよい。）
【００２８】
下記式（ｃ−４）で表される化合物又はその塩、
【００２９】
【化８】
2020122092.tif 000009
・・・（ｃ−４）
【００３０】
下記式（ｃ−５）で表される化合物又はその塩、
【００３１】
【化９】
2020122092.tif 000010
・・・（ｃ−５）
【００３２】
（式（ｃ−５）中、環Ａ１、Ａ２及びＡ３は、それぞれ、ベンゼン環、２，３−ピリジン環及び３，２−ピリジン環から選択され、かつ、環Ａ１、Ａ２及びＡ３の少なくとも一つは、２，３−ピリジン環又は３，２−ピリジン環であり、環Ａ１、Ａ２及びＡ３は同一でも異なっていてもよく、ａは、１．０≦ａ≦３．０を満たし、ｂは、０．２≦ｂ≦１．８を満たし、ｃは、０．８≦ｃ≦１．６を満たし、かつ、ａ、ｂ及びｃは、０≦ａ＋ｂ＋ｃ≦４を満たし、ｘは、１≦ｚ≦３を満たす整数であり、Ｒ１は、炭素原子数１以上６以下の直鎖アルキレン基である。）
【００３３】
下記式（ｃ−６）で表される化合物又はその塩、
【００３４】
【化１０】
2020122092.tif 000011
・・・（ｃ−６）
【００３５】
（式（ｃ−６）中、環Ａ、Ｂ、Ｃ、及びＤはそれぞれ独立に芳香性を有する６員環であり、かつ、環Ａ、Ｂ、Ｃ、及びＤの少なくともひとつはピリジン環又はピラジン環である。Ｅはアルキレン基である。Ｘは、スルホ置換アニリノ基、カルボキシ置換アニリノ基、又はホスホノ置換アニリノ基であり、該置換アニリノ基はさらに、スルホン酸基、カルボキシ基、ホスホノ基、スルファモイル基、カルバモイル基、ヒドロキシ基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる置換基を１乃至４個有してもよい。Ｙはヒドロキシ基又はアミノ基である。ａは、０．０≦ａ≦２．０を満たし、ｂは、０．０≦ｂ≦３．０を満たし、ｃは、０．１≦ｃ≦３．０を満たし、かつ、ａ、ｂ及びｃは、１．０≦ａ＋ｂ＋ｃ≦４．０を満たす。）
【００３６】
下記式（ｃ−７）で表される化合物又はその塩、
【００３７】
【化１１】
2020122092.tif 000012
・・・（ｃ−７）
【００３８】
（式（ｃ−７）中、環Ａ、Ｂ、Ｃ及びＤは、それぞれ独立に、ベンゼン環又は含窒素複素芳香環を表し、かつ、前記含窒素複素芳香環の数は０．０より大きく３．０以下であるとともに残りはベンゼン環である。Ｒ１はアルキル基を表し、Ｒ２はアルキレン基を表し、Ｘは１以上のスルホン酸基を有するアニリノ基を表す。Ｘはカルボキシ基、リン酸基、ヒドロキシ基、アルコキシ基、アルキルカルボニルアミノ基、ウレイド基、ニトロ基、及びハロゲン原子からなる群より選択される置換基をさらに有してもよい。ｍは、０．０＜ｍ＜３．９であり、ｎは、０．１≦ｎ＜４．０であり、かつ、ｍ及びｎは、１．０≦（ｍ＋ｎ）＜４．０である。）
【００３９】
下記式（ｃ−８）で表される化合物又はその塩、
【００４０】
【化１２】
2020122092.tif 000013
・・・（ｃ−８）
【００４１】
（式（ｃ−８）中、Ｒ１ないしＲ２４は、それぞれ独立に、水素原子、ハロゲン原子、アルキル基、シクロアルキル基、アルケニル基、アルキニル基、アリール基、アラルキル基、アシル基、アシルアミノ基、スルホニルアミノ基、アルコキシ基、アリールオキシ基、ヒドロキシ基、アミノ基、ニトロ基、シアノ基、スルホン酸基、カルボン酸基、スルファモイル基、カルバモイル基、アルコキシスルホニル基、アルコキシカルボニル基、アリールオキシスルホニル基、又はアリールオキシカルボニル基を表し、以下の（Ｘ）及び（Ｙ）の少なくとも一方を満たす。（Ｘ）Ｒ１ないしＲ２４の少なくとも１つが、スルホン酸基、又はカルボン酸基である。（Ｙ）Ｒ６、Ｒ７、Ｒ８、Ｒ９、Ｒ１６、Ｒ１７、Ｒ１８、及びＲ１９の少なくとも１つが、ハロゲン原子、アシル基、ニトロ基、又はシアノ基である。）
【００４２】
下記式（ｃ−９）で表される化合物又はその塩、
【００４３】
【化１３】
2020122092.tif 000014
・・・（ｃ−９）
【００４４】
（式（ｃ−９）中、Ｒ１、Ｒ２、Ｒ３、及びＲ４は、それぞれ独立に、アルキル基、シクロアルキル基、アルケニル基、アラルキル基、アリール基、又はヘテロ環基を表し、Ｒ１、Ｒ２、Ｒ３、及びＲ４の少なくとも１つにはイオン性基が置換している。ｗ、ｘ、ｙ、及びｚは、それぞれ独立に１又は２を表す。）
【００４５】
及び、
Ｃ．Ｉ．ダイレクトブルー１９９から選択される１種又は２種以上を含む、シアンインクと、
【００４６】
下記式（ｍ−１）で表される化合物又はその塩、
【００４７】
【化１４】
2020122092.tif 000015
・・・（ｍ−１）
【００４８】
下記式（ｍ−２）で表される化合物又はその塩、
【００４９】
【化１５】
2020122092.tif 000016
・・・（ｍ−２）
【００５０】
下記式（ｍ−３）で表される化合物又はその塩、
【００５１】
【化１６】
2020122092.tif 000017
・・・（ｍ−３）
【００５２】
（式（ｍ−３）中、Ｒ１、Ｒ５、Ｒ６及びＲ１０は、それぞれ独立に、アルキル基を表す。Ｒ３及びＲ８は、それぞれ独立に、水素原子、アルキル基、アルコキシ基、又はアリールオキシ基を表し、アルキル基、アルコキシ基、及びアリールオキシ基は、アルキル基、アリール基、アリールアルキル基、ヒドロキシル基、カルバモイル基、スルファモイル基、アルコキシ基、シアノ基、ハロゲン原子、及びイオン性基からなる置換基群より選択される少なくとも１種の置換基を有していてもよい。Ｒ２、Ｒ４、Ｒ７及びＲ９は、それぞれ独立に、水素原子、又は下記式（ｍ−３’）で表されるアシルアミノ基を表し、Ｒ２、Ｒ４、Ｒ７及びＲ９の少なくとも１つは下記式（ｍ−３’）で表されるアシルアミノ基である。Ｚは、ＳＯ３Ｈ基、ＳＯ３Ｍ基（Ｍはアンモニウムイオン又はアルカリ金属イオンを表す）、又はスルファモイル基を表す。Ｒ２、Ｒ３、Ｒ４、Ｒ７、Ｒ８及びＲ９の少なくとも１つが、イオン性基で置換されている場合には、ｎは０乃至３の整数を表し、イオン性基で置換されていない場合には、ｎは１ないし３の整数を表し、Ｚが存在する場合は芳香環の少なくとも１つの水素原子の位置に置換している。）
【００５３】
【化１７】
2020122092.tif 000018
・・・（ｍ−３’）
【００５４】
（式（ｍ−３’）中、Ｒ１１は、アルキル基、シクロアルキル基、アリール基、アリールアルキル基、アルケニル基、又はヘテロ環基を表し、アルキル基、シクロアルキル基、アリール基、アリールアルキル基、アルケニル基、及びヘテロ環基は、アルキル基、アリール基、アリールアルキル基、アルケニル基、アルコキシ基、シアノ基、アルキルアミノ基、スルホアルキル基、カルバモイル基、スルファモイル基、スルホニルアミノ基、ハロゲン原子、及びイオン性基からなる置換基群より選択される少なくとも１種の置換基を有していてもよい。＊は式（ｍ−３）の芳香環との結合部位を表す。）
【００５５】
及び、
Ｃ．Ｉ．ダイレクトレッド２２７から選択される１種又は２種以上を含む、マゼンタインクと、
をさらに含んでもよい。
【発明を実施するための形態】
【００５６】
以下に本発明の実施形態について説明する。以下に説明する実施形態は、本発明の例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００５７】
１．インクセット
本実施形態のインクセットは、顔料インクと、染料インクと、を備える。インクセットは、顔料インクを複数備えてもよいし、染料インクを複数備えてもよい。以下の説明では、顔料インクの項で、インクセットに備えられる顔料インクの例を説明する。また、以下の説明では、本実施形態のインクセットに備えられる特定の染料インクを第１染料インクとして説明し、本実施形態のインクセットに任意に備えられる第１染料インク以外の染料インクを第２染料インクとして説明する。
【００５８】
したがって、本実施形態のインクセットの態様としては、「１．１．顔料インク」の項で説明する顔料インクの１以上と、「１．２．第１染料インク」の項で説明する第１染料インクと、を含む態様と、「１．１．顔料インク」の項で説明する顔料インクの１以上と、「１．２．第１染料インク」の項で説明する第１染料インクと、「１．３．第２染料インク」の項で説明する第２染料インクの１以上と、を含む態様がある。
【００５９】
１．１．顔料インク
本実施形態のインクセットには、以下に説明する顔料インクが備えられる。インクセットに備えられる顔料インクの数は、任意である。インクセットに備えられる顔料インクは、例えば、ブラックの顔料インクのみであってもよいし、シアン、マゼンタ、イエロー、ブラック、その他の色の顔料インクから複数選ばれてもよい。いずれの場合であっても、顔料インクは、少なくとも顔料を含む。
【００６０】
１．１．１．顔料
顔料としては、カーボンブラック、チタンホワイトを含む無機顔料、各種各色の有機顔料を用いることができる。顔料インクは、顔料がいわゆる自己分散顔料であってもよいし、顔料が分散樹脂により分散されていてもよい。
【００６１】
無機顔料としては、ファーネスブラック、ランプブラック、アセチレンブラック、チャネルブラック等のカーボンブラック（Ｃ．Ｉ．ピグメントブラック７）類、酸化鉄、酸化チタン、酸化亜鉛、シリカ等を用いることができる。
【００６２】
カーボンブラックとしては、三菱化学株式会社製のＮｏ．２３００、９００、ＭＣＦ８８、Ｎｏ．２０Ｂ、Ｎｏ．３３、Ｎｏ．４０、Ｎｏ．４５、Ｎｏ．５２、ＭＡ７、ＭＡ８、ＭＡ１００、Ｎｏ２２００Ｂ等が挙げられる。デグサ社製のカラーブラックＦＷ１、ＦＷ２、ＦＷ２Ｖ、ＦＷ１８、ＦＷ２００、Ｓ１５０、Ｓ１６０、Ｓ１７０、プリテックス３５、Ｕ、Ｖ、１４０Ｕ、スペシャルブラック６、５、４Ａ、４、２５０等を例示できる。コロンビアカーボン社製のコンダクテックスＳＣ、ラーベン１２５５、５７５０、５２５０、５０００、３５００、１２５５、７００等を例示できる。キャボット社製のリガール４００Ｒ、３３０Ｒ、６６０Ｒ、モグルＬ、モナーク７００、８００、８８０、９００、１０００、１１００、１３００、１４００、エルフテックス１２等を例示できる。また、オリエント社製のＢＯＮＪＥＴ  ＢＬＡＣＫ  ＣＷ−２等の自己分散型の顔料を用いてもよい。
【００６３】
有機顔料としては、キナクリドン系顔料、キナクリドンキノン系顔料、ジオキサジン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料又はアゾ系顔料等を例示できる。
【００６４】
顔料インクに用いられる有機顔料の具体例としては下記のものが挙げられる。
【００６５】
シアン顔料としては、Ｃ．Ｉ．ピグメントブルー１、２、３、１５：３、１５：４、１５：３４、１６、２２、６０等；Ｃ．Ｉ．バットブルー４、６０等が挙げられ、好ましくは、Ｃ．Ｉ．ピグメントブルー１５：３、１５：４、及び６０からなる群から選択される一種又は二種以上の混合物を例示できる。
【００６６】
マゼンタ顔料としては、Ｃ．Ｉ．ピグメントレッド５、７、１２、４８（Ｃａ）、４８（Ｍｎ）、５７（Ｃａ）、５７：１、１１２、１２２、１２３、１６８、１８４、２０２、Ｃ．Ｉ．ピグメントバイオレット１９等が挙げられ、好ましくはＣ．Ｉ．ピグメントレッド１２２、２０２、及び２０９、Ｃ．Ｉ．ピグメントバイオレット１９からなる群から選択される一種又は二種以上の混合物を例示できる。
【００６７】
イエロー顔料としては、Ｃ．Ｉ．ピグメントイエロー１、２、３、１２、１３、１４Ｃ、１６、１７、７３、７４、７５、８３、９３、９５、９７、９８、１１９、１１０、１１４、１２８、１２９、１３８、１５０、１５１、１５４、１５５、１８０、１８５、等が挙げられ、好ましくはＣ．Ｉ．ピグメントイエロー７４、１０９、１１０、１２８、及び１３８からなる群から選択される一種又は二種以上の混合物を例示できる。
【００６８】
オレンジ顔料としては、Ｃ．Ｉ．ピグメントオレンジ３６若しくは４３又はこれらの混合物を例示できる。グリーンインクに使用される顔料としては、Ｃ．Ｉ．ピグメントグリーン７若しくは３６又はこれらの混合物を例示できる。
【００６９】
上記例示した顔料は、好適な顔料の例であり、これらによって本発明が限定されるものではない。これらの顔料は一種又は二種以上の混合物として用いてよいし、染料と併用しても構わない。
【００７０】
また、顔料は、水溶性樹脂、水分散性樹脂、界面活性剤等から選ばれる分散剤を用いて分散して用いてもよく、あるいはオゾン、次亜塩素酸、発煙硫酸等により、顔料表面を酸化、あるいはスルホン化して自己分散顔料として分散して用いてもよい。
【００７１】
顔料の含有量は、用途に応じて適宜調整することができるが、好ましくは０．１０質量％以上２０．０質量％以下であり、より好ましくは０．２０質量％以上１５．０質量％以下であり、さらに好ましくは１．０質量％以上１０．０質量％以下、特に好ましくは２．０質量％以上６．０質量％以下である。
【００７２】
顔料粒子の体積平均粒子径は、１０．０ｎｍ以上２００．０ｎｍ以下が好ましく、３０．０ｎｍ以上２００．０ｎｍ以下がより好ましく、５０．０ｎｍ以上１５０．０ｎｍ以下がさらに好ましく、７０．０ｎｍ以上１２０．０ｎｍ以下が特に好ましい。
【００７３】
顔料インクにおいて、顔料を分散樹脂により分散させる場合には、顔料と分散樹脂との比率は１０：１〜１：１０が好ましく、４：１〜１：３がより好ましい。また、分散時の顔料の体積平均粒子径は、動的光散乱法で計測した場合の最大粒径が５００ｎｍ未満で平均粒径が３００ｎｍ以下であり、より好ましくは平均粒径が２００ｎｍ以下である。
【００７４】
顔料インクには、顔料の分散を妨げない範囲で、染料が含まれてもよい。顔料インクに用い得る染料としては、水溶解系として酸性染料、直接染料、反応性染料、及び塩基性染料、水分散系として分散染料、油溶染料、昇華型染料等を挙げることができる。
【００７５】
１．１．２．その他の成分
本実施形態の顔料インクは、界面活性剤、有機溶剤、樹脂、水、その他の成分を含有してもよい。
【００７６】
（１）界面活性剤
顔料インクは、界面活性剤を含有してもよい。界面活性剤は、顔料インクの表面張力を低下させ記録媒体や下地との濡れ性を向上させる機能を備える。界面活性剤の中でも、アセチレングリコール系界面活性剤、シリコーン系界面活性剤、及びフッ素系界面活性剤を好ましく用いることができる。
【００７７】
アセチレングリコール系界面活性剤としては、特に限定されないが、例えば、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上全て商品名、エア・プロダクツ＆ケミカルズ社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業社製）、アセチレノールＥ００、Ｅ００Ｐ、Ｅ４０、Ｅ１００（以上全て商品名、川研ファインケミカル社製）が挙げられる。
【００７８】
シリコーン系界面活性剤としては、特に限定されないが、ポリシロキサン系化合物が好ましく挙げられる。当該ポリシロキサン系化合物としては、特に限定されないが、例えばポリエーテル変性オルガノシロキサンが挙げられる。当該ポリエーテル変性オルガノシロキサンの市販品としては、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ビックケミー・ジャパン社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学工業社製）が挙げられる。
【００７９】
フッ素系界面活性剤としては、フッ素変性ポリマーを用いることが好ましく、具体例としては、ＢＹＫ−３４４０（ビックケミー・ジャパン社製）、サーフロンＳ−２４１、Ｓ−２４２、Ｓ−２４３（以上商品名、ＡＧＣセイミケミカル社製）、フタージェント２１５Ｍ（ネオス社製）等が挙げられる。
【００８０】
顔料インクに界面活性剤を含有させる場合には、複数種を含有させてもよい。顔料インクに界面活性剤を含有させる場合の含有量は、全質量に対して、好ましくは０．１質量％以上２．０質量％以下、さらに好ましくは０．２質量％以上１．５質量％以下、より好ましくは、０．３質量％以上１．０質量％以下である。
【００８１】
（２）有機溶剤
顔料インクは、有機溶剤を含有してもよい。顔料インクは、有機溶剤を含有しなくてもよいが、有機溶剤を含有することにより、乾燥性と吐出安定性の両立がより容易となる。有機溶剤は水溶性の有機溶剤であることが好ましい。
【００８２】
有機溶剤の機能の一つは、記録媒体に対する顔料インクの濡れ性を向上させることや、顔料インクの保湿性を高めることが挙げられる。有機溶剤としては、エステル類、アルキレングリコールエーテル類、環状エステル類、含窒素溶剤、多価アルコール等を挙げることができる。含窒素溶剤としては環状アミド類、非環状アミド類などを挙げることができる。非環状アミド類としてはアルコキシアルキルアミド類などが挙げられる。
【００８３】
エステル類としては、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、
プロピレングリコールモノメチルエーテルアセテート、ジプロピレングリコールモノメチルエーテルアセテート、メトキシブチルアセテート、等のグリコールモノアセテート類、エチレングリコールジアセテート、ジエチレングリコールジアセテート、プロピレングリコールジアセテート、ジプロピレングリコールジアセテート、エチレングリコールアセテートプロピオネート、エチレングリコールアセテートブチレート、ジエチレングリコールアセテートブチレート、ジエチレングリコールアセテートプロピオネート、ジエチレングリコールアセテートブチレート、プロピレングリコールアセテートプロピオネート、プロピレングリコールアセテートブチレート、ジプロピレングリコールアセテートブチレート、ジプロピレングリコールアセテートプロピオネート、等のグリコールジエステル類が挙げられる。
【００８４】
アルキレングリコールエーテル類としては、アルキレングリコールのモノエーテル又はジエーテルであればよく、アルキルエーテルが好ましい。具体例としては、エチレングリコールモノメチルエーテル、エチレングリコールモノエチルエーテル、エチレングリコールモノイソプロピルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、テトラエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノブチルエーテル等のアルキレングリコールモノアルキルエーテル類、及び、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールジブチルエーテル、ジエチレングリコールメチルエチルエーテル、ジエチレングリコールメチルブチルエーテル、トリエチレングリコールジメチルエーテル、トリエチレングリコールジエチルエーテル、トリエチレングリコールジブチルエーテル、トリエチレングリコールメチルブチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、ジプロピレングリコールジエチルエーテル、トリプロピレングリコールジメチルエーテル等のアルキレングリコールジアルキルエーテル類が挙げられる。
【００８５】
環状エステル類としては、β−プロピオラクトン、γ−ブチロラクトン、δ−バレロラクトン、ε−カプロラクトン、β−ブチロラクトン、β−バレロラクトン、γ−バレロラクトン、β−ヘキサノラクトン、γ−ヘキサノラクトン、δ−ヘキサノラクトン、β−ヘプタノラクトン、γ−ヘプタノラクトン、δ−ヘプタノラクトン、ε−ヘプタノラクトン、γ−オクタノラクトン、δ−オクタノラクトン、ε−オクタノラクトン、δ−ノナラクトン、ε−ノナラクトン、ε−デカノラクトン等の環状エステル類（ラクトン類）、並びに、それらのカルボニル基に隣接するメチレン基の水素が炭素数１〜４のアルキル基によって置換された化合物を挙げることができる。
【００８６】
アルコキシアルキルアミド類としては、例えば、３−メトキシ−Ｎ，Ｎ−ジメチルプロピオンアミド、３−メトキシ−Ｎ，Ｎ−ジエチルプロピオンアミド、３−メトキシ−Ｎ，Ｎ−メチルエチルプロピオンアミド、３−エトキシ−Ｎ，Ｎ−ジメチルプロピオンアミド、３−エトキシ−Ｎ，Ｎ−ジエチルプロピオンアミド、３−エトキシ−Ｎ，Ｎ−メチルエチルプロピオンアミド、３−ｎ−ブトキシ−Ｎ，Ｎ−ジメチルプロピオンアミド、３−ｎ−ブトキシ−Ｎ，Ｎ−ジエチルプロピオンアミド、３−ｎ−ブトキシ−Ｎ，Ｎ−メチルエチルプロピオンアミド、３−ｎ−プロポキシ−Ｎ，Ｎ−ジメチルプロピオンアミド、３−ｎ−プロポキシ−Ｎ，Ｎ−ジエチルプロピオンアミド、３−ｎ−プロポキシ−Ｎ，Ｎ−メチルエチルプロピオンアミド、３−ｉｓｏ−プロポキシ−Ｎ，Ｎ−ジメチルプロピオンアミド、３−ｉｓｏ−プロポキシ−Ｎ，Ｎ−ジエチルプロピオンアミド、３−ｉｓｏ−プロポキシ−Ｎ，Ｎ−メチルエチルプロピオンアミド、３−ｔｅｒｔ−ブトキシ−Ｎ，Ｎ−ジメチルプロピオンアミド、３−ｔｅｒｔ−ブトキシ−Ｎ，Ｎ−ジエチルプロピオンアミド、３−ｔｅｒｔ−ブトキシ−Ｎ，Ｎ−メチルエチルプロピオンアミド、等を例示することができる。
【００８７】
環状アミド類としては、ラクタム類が挙げられ、例えば、２−ピロリドン、１−メチル−２−ピロリドン、１−エチル−２−ピロリドン、１−プロピル−２−ピロリドン、１−ブチル−２−ピロリドン、等のピロリドン類などが挙げられる。これらは後述する樹脂粒子の皮膜化を促進させる点で好ましく、特に２−ピロリドンがより好ましい。
【００８８】
また、非環状アミド類として、下記一般式（１）で表される化合物であるアルコキシアルキルアミド類を用いることも好ましい。
【００８９】
Ｒ１−Ｏ−ＣＨ２ＣＨ２−（Ｃ＝Ｏ）−ＮＲ２Ｒ３    ・・・（１）
【００９０】
上記式（１）中、Ｒ１は、炭素数１以上４以下のアルキル基を示し、Ｒ２及びＲ３は、それぞれ独立にメチル基又はエチル基を示す。「炭素数１以上４以下のアルキル基」は、直鎖状又は分岐状のアルキル基であることができ、例えば、メチル基、エチル基、ｎ−プロピル基、ｉｓｏ−プロピル基、ｎ−ブチル基、ｓｅｃ−ブチル基、ｉｓｏ−ブチル基、ｔｅｒｔ−ブチル基であることができる。上記式（１）で表される化合物は、１種単独で用いてもよいし、２種以上混合して用いてもよい。
【００９１】
多価アルコールとしては、１，２−アルカンジオール（例えば、エチレングリコール、プロピレングリコール（別名：プロパン−１，２−ジオール）、トリエチレングリコール、１，２−ブタンジオール、１，２−ペンタンジオール、１，２−ヘキサンジオール、１，２−ヘプタンジオール、１，２−オクタンジオール等のアルカンジオール類）、１，２−アルカンジオールを除く多価アルコール（ポリオール類）（例えば、ジエチレングリコール、ジプロピレングリコール、１，３−プロパンジオール、１，３−ブタンジオール（別名：１，３−ブチレングリコール）、１，４−ブタンジオール、１，５−ペンタンジオール、１，６−ヘキサンジオール、２−エチル−２−メチル−１，３−プロパンジオール、２−メチル−２−プロピル−１，３−プロパンジオール、２−メチル−１，３−プロパンジオール、２，２−ジメチル−１，３−プロパンジオール、３−メチル−１，３−ブタンジオール、２−エチル−１，３−ヘキサンジオール、３−メチル−１，５−ペンタンジオール、２−メチルペンタン−２，４−ジオール、トリメチロールプロパン、グリセリン等）等が挙げられる。
【００９２】
顔料インクは、上記例示した有機溶剤を一種単独で用いてもよいし、二種以上を併用してもよい。顔料インクに有機溶剤を配合する場合、顔料インク全体に対する有機溶剤の合計の含有量は、３．０質量％以上３０．０質量％以下、好ましくは５．０質量％以上２５．０質量％以下、より好ましくは１０．０質量％以上２０．０質量％以下である。
【００９３】
（３）樹脂
顔料インクは、樹脂を含有してもよい。樹脂は、樹脂粒子のエマルジョンとして配合され得る。樹脂粒子は、記録媒体に付着させた顔料インクの成分の密着性や耐擦過性を向上させる、いわゆる定着用樹脂として機能する場合がある。このような樹脂粒子としては、例えば、ウレタン系樹脂、アクリル系樹脂、フルオレン系樹脂、ポリオレフィン系樹脂、ロジン変性樹脂、テルペン系樹脂、ポリエステル系樹脂、ポリアミド系樹脂、エポキシ系樹脂、塩化ビニル系樹脂、エチレン酢酸ビニル系樹脂、酢酸ビニル樹脂、ブタジエン樹脂、スチレン樹脂、架橋アクリル樹脂、架橋スチレン樹脂、ベンゾグアナミン樹脂、フェノール樹脂、シリコーン樹脂、エポキシ樹脂、パラフィン樹脂、フッ素樹脂、等からなる樹脂粒子が挙げられる。これらの樹脂粒子は、エマルジョン形態で取り扱われることが多いが、粉体の性状であってもよい。また、樹脂粒子は１種単独又は２種以上組み合わせて用いることができる。
【００９４】
ウレタン系樹脂とは、ウレタン結合を有する樹脂の総称である。ウレタン系樹脂には、ウレタン結合以外に、主鎖にエーテル結合を含むポリエーテル型ウレタン樹脂、主鎖にエステル結合を含むポリエステル型ウレタン樹脂、主鎖にカーボネート結合を含むポリカーボネート型ウレタン樹脂等を使用してもよい。ウレタン系樹脂としては、市販品を用いてもよく、例えば、スーパーフレックス  ２１０、４６０、４６０ｓ、８４０、Ｅ−４０００（商品名、第一工業製薬株式会社製）、レザミン  Ｄ−１０６０、Ｄ−２０２０、Ｄ−４０８０、Ｄ−４２００、Ｄ−６３００、Ｄ−６４５５（商品名、大日精化工業株式会社製）、タケラック  ＷＳ−６０２０、ＷＳ−６０２１、Ｗ−５１２−Ａ−６（商品名、三井化学ポリウレタン株式会社製）、サンキュアー２７１０（商品名、ＬＵＢＲＩＺＯＬ社製）、パーマリンＵＡ−１５０（商品名、三洋化成工業社製）などの市販品の中から選択して用いてもよい。
【００９５】
アクリル系樹脂は、少なくとも（メタ）アクリル酸、（メタ）アクリル酸エステルなどのアクリル系単量体を１成分として重合して得られる重合体の総称であって、例えば、アクリル系単量体から得られる樹脂や、アクリル系単量体とこれ以外の単量体との共重合体などが挙げられる。例えばアクリル系単量体とビニル系単量体との共重合体であるアクリル−ビニル系樹脂などが挙げられる。さらに例えば、スチレンなどのビニル系単量体との共重合体が挙げられる。アクリル系単量体としてはアクリルアミド、アクリロニトリル等も使用可能である。
【００９６】
アクリル系樹脂を原料とする樹脂エマルジョンには、市販品を用いてもよく、例えばＦＫ−８５４（商品名、中央理科工業社製）、モビニール９５２Ｂ、７１８Ａ（商品名、日本合成化学工業社製）、ＮｉｐｏｌＬＸ８５２、ＬＸ８７４（商品名、日本ゼオン社製）、ポリゾールＡＴ８６０（昭和電工株式会社製）、ボンコートＡＮ−１１９０Ｓ、ＹＧ−６５１、ＡＣ−５０１、ＡＮ−１１７０、４００１（商品名、ＤＩＣ社製、アクリル系樹脂エマルジョン）等の中から選択して用いてもよい。
【００９７】
なお、本明細書において、アクリル系樹脂は、上述のようにスチレンアクリル系樹脂であってもよい。また、本明細書において、（メタ）アクリルとの表記は、アクリル及びメタクリルの少なくとも一方を意味する。
【００９８】
スチレンアクリル系樹脂は、スチレン単量体とアクリル系単量体とから得られる共重合体であり、スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体等が挙げられる。スチレンアクリル系樹脂には、市販品を用いても良く、例えば、ジョンクリル６２Ｊ、７１００、３９０、７１１、５１１、７００１、６３２、７４１、４５０、８４０、７４Ｊ、ＨＲＣ−１６４５Ｊ、７３４、８５２、７６００、７７５、５３７Ｊ、１５３５、ＰＤＸ−７６３０Ａ、３５２Ｊ、３５２Ｄ、ＰＤＸ−７１４５、５３８Ｊ、７６４０、７６４１、６３１、７９０、７８０、７６１０（商品名、ＢＡＳＦ社製）、モビニール９６６Ａ、９７５Ｎ（商品名、日本合成化学工業社製）などが挙げられる。
【００９９】
塩化ビニル系樹脂は、塩化ビニル−酢酸ビニル共重合体であってもよい。
【０１００】
ポリオレフィン系樹脂は、エチレン、プロピレン、ブチレン等のオレフィンを構造骨格に有するものであり、公知のものを適宜選択して用いることができる。オレフィン樹脂としては、市販品を用いることができ、例えばアローベースＣＢ−１２００、ＣＤ−１２００（商品名、ユニチカ株式会社製）等の中から選択して用いてもよい。
【０１０１】
また、樹脂粒子は、エマルジョンの形態で供給されてもよく、そのような樹脂エマルジョンの市販品の例としては、マイクロジェルＥ−１００２、Ｅ−５００２（日本ペイント社製商品名、スチレン−アクリル系樹脂エマルジョン）、ボンコートＡＮ−１１９０Ｓ、ＹＧ−６５１、ＡＣ−５０１、ＡＮ−１１７０、４００１、５４５４（ＤＩＣ社製商品名、スチレン−アクリル系樹脂エマルジョン）、ポリゾールＡＭ−７１０、ＡＭ−９２０、ＡＭ−２３００、ＡＰ−４７３５、ＡＴ−８６０、ＰＳＡＳＥ−４２１０Ｅ（アクリル系樹脂エマルジョン）、ポリゾールＡＰ−７０２０（スチレン・アクリル樹脂エマルジョン）、ポリゾールＳＨ−５０２（酢酸ビニル樹脂エマルジョン）、ポリゾールＡＤ−１３、ＡＤ−２、ＡＤ−１０、ＡＤ−９６、ＡＤ−１７、ＡＤ−７０（エチレン・酢酸ビニル樹脂エマルジョン）、ポリゾールＰＳＡＳＥ−６０１０（エチレン・酢酸ビニル樹脂エマルジョン）（昭和電工社製商品名）、ポリゾールＳＡＥ１０１４（商品名、スチレン−アクリル系樹脂エマルジョン、日本ゼオン社製）、サイビノールＳＫ−２００（商品名、アクリル系樹脂エマルジョン、サイデン化学社製）、ＡＥ−１２０Ａ（ＪＳＲ社製商品名、アクリル樹脂エマルジョン）、ＡＥ３７３Ｄ（イーテック社製商品名、カルボキシ変性スチレン・アクリル樹脂エマルジョン）、セイカダイン１９００Ｗ（大日精化工業社製商品名、エチレン・酢酸ビニル樹脂エマルジョン）、ビニブラン２６８２（アクリル樹脂エマルジョン）、ビニブラン２８８６（酢酸ビニル・アクリル樹脂エマルジョン）、ビニブラン５２０２（酢酸アクリル樹脂エマルジョン）（日信化学工業社製商品名）、ビニブラン７００、２５８６（日信化学工業社製）、エリーテルＫＡ−５０７１Ｓ、ＫＴ−８８０３、ＫＴ−９２０４、ＫＴ−８７０１、ＫＴ−８９０４、ＫＴ−０５０７（ユニチカ社製商品名、ポリエステル樹脂エマルジョン）、ハイテックＳＮ−２００２（東邦化学社製商品名、ポリエステル樹脂エマルジョン）、タケラックＷ−６０２０、Ｗ−６３５、Ｗ−６０６１、Ｗ−６０５、Ｗ−６３５、Ｗ−６０２１（三井化学ポリウレタン社製商品名、ウレタン系樹脂エマルジョン）、スーパーフレックス８７０、８００、１５０、４２０、４６０、４７０、６１０、６２０、７００（第一工業製薬社製商品名、ウレタン系樹脂エマルジョン）、パーマリンＵＡ−１５０（三洋化成工業株式会社製、ウレタン系樹脂エマルジョン）、サンキュアー２７１０（日本ルーブリゾール社製、ウレタン系樹脂エマルジョン）、ＮｅｏＲｅｚ  Ｒ−９６６０、Ｒ−９６３７、Ｒ−９４０（楠本化成株式会社製、ウレタン系樹脂エマルジョン）、アデカボンタイター  ＨＵＸ−３８０，２９０Ｋ（株式会社ＡＤＥＫＡ製、ウレタン系樹脂エマルジョン）、モビニール９６６Ａ、モビニール７３２０（日本合成化学株式会社製）、ジョンクリル７１００、３９０、７１１、５１１、７００１、６３２、７４１、４５０、８４０、７４Ｊ、ＨＲＣ−１６４５Ｊ、７３４、８５２、７６００、７７５、５３７Ｊ、１５３５、ＰＤＸ−７６３０Ａ、３５２Ｊ、３５２Ｄ、ＰＤＸ−７１４５、５３８Ｊ、７６４０、７６４１、６３１、７９０、７８０、７６１０（以上、ＢＡ��Ｆ社製）、ＮＫバインダーＲ−５ＨＮ（新中村化学工業株式会社製）、ハイドランＷＬＳ−２１０（非架橋性ポリウレタン：ＤＩＣ株式会社製）、ジョンクリル７６１０（ＢＡＳＦ社製）等の中から選択して用いてもよい。
【０１０２】
顔料インクに樹脂として樹脂粒子を含有させる場合の含有量は、インクの全質量に対して、固形分として、０．１質量％以上１０．０質量％以下、好ましくは１．０質量％以上５．０質量％以下、より好ましくは１．０質量％以上３．０質量％以下である。
【０１０３】
（４）水
顔料インクは、水を含有してもよい。顔料インクは水系であることが好ましい。水系とは主要な溶媒成分の１つとして水を含有する組成物である。水は主となる溶媒成分として含んでもよく、乾燥により蒸発飛散する成分である。水は、イオン交換水、限外濾過水、逆浸透水、蒸留水等の純水又は超純水のようなイオン性不純物を極力除去したものであることが好ましい。また、紫外線照射又は過酸化水素添加等により滅菌した水を用いると、顔料インクを長期保存する場合にカビやバクテリアの発生を抑制できるので好適である。水の含有量は顔料インクの総量に対して好ましくは７５．０質量％以上であり、より好ましくは８０．０質量％以上９８質量％以下であり、さらに好ましくは８５．０質量％以上９５．０質量％以下である。
【０１０４】
（５）その他
顔料インクは、その他の成分として、顔料分散剤、ｐＨ調整剤、防かび剤・防腐剤、キレート化剤、防錆剤、防黴剤、酸化防止剤、還元防止剤、蒸発促進剤等を含有してもよい。
【０１０５】
顔料分散剤としては、インクジェット用のインクに使用可能な公知の樹脂をいずれも用いることができる。好適な顔料分散剤としては、親水性基には少なくともアニオン性基が含まれることが好ましい。親水性基としては、（メタ）アクリル酸やその塩などの親水性単量体によるものが挙げられる。また、疎水性基としては、スチレンやその誘導体、ベンジル（メタ）アクリレートなどの芳香環を有するモノマー、（メタ）アクリル酸エステルなどの脂肪族基を有するモノマー、などの疎水性単量体による官能基などが挙げられる。
【０１０６】
ｐＨ調整剤としては、例えば、尿素類、アミン類、モルホリン類、ピペラジン類、２種以上である等のアミノアルコール類、を例示できる。尿素類としては、尿素、エチレン尿素、テトラメチル尿素、チオ尿素、１，３−ジメチル−２−イミダゾリジノン等、及び、ベタイン類（トリメチルグリシン、トリエチルグリシン、トリプロピルグリシン、トリイソプロピルグリシン、Ｎ，Ｎ，Ｎ−トリメチルアラニン、Ｎ，Ｎ，Ｎ−トリエチルアラニン、Ｎ，Ｎ，Ｎ−トリイソプロピルアラニン、Ｎ，Ｎ，Ｎ−トリメチルメチルアラニン、カルニチン、アセチルカルニチン等）等が挙げられる。アミン類としては、ジエタノールアミン、２種以上である、トリイソプロパノールアミン等が挙げられる。ｐＨ調整剤を含有することにより、例えば、インク流路を形成する部材からの不純物の溶出を抑制したり、促進したりすることができ、顔料インクの洗浄性を調節することができる。
【０１０７】
防かび剤・防腐剤としては、プロキセルＣＲＬ、プロキセルＢＤＮ、プロキセルＧＸＬ、プロキセルＸＬ−２、プロキセルＩＢ、又はプロキセルＴＮなどを挙げることができる。防かび剤・防腐剤を含有することにより、カビや細菌の増殖を抑制することができ、顔料インクの保存性がより良好となる。
【０１０８】
キレート化剤としては、例えば、エチレンジアミン四酢酸塩（ＥＤＴＡ）や、エチレンジアミンのニトリロトリ酢酸塩、ヘキサメタリン酸塩、ピロリン酸塩、又はメタリン酸塩等が挙げられる。
【０１０９】
１．２．第１染料インク
本実施形態のインクセットには、第１染料インクが備えられる。インクセットに備えられる染料インクの数は、任意である、しかし、インクセットは、以下に説明する第１染料インクを備える。第１染料インクは、例えば、イエローの染料インクとしてインクセットに備えられる。本実施形態のインクセットに複数の染料インクが備えられる態様において備えられる第１染料インク以外の染料インクは、「１．３．第２染料インク」の項で後述する。
【０１１０】
第１染料インクは、下記式（ｙ−１）で表される化合物又はその塩を含む。
【０１１１】
【化１８】
2020122092.tif 000019
（ｙ−１）
【０１１２】
式（ｙ−１）では、４つのスルホン酸基を含むが、それらはそれぞれ独立にスルホン酸塩の形態であってもよい。式（ｙ−１）で表される化合物の塩のカウンターイオンとしては、水素イオン（プロトン）、リチウム、ナトリウム、カリウム、アンモニウム等が挙げられ、４つのスルホン酸基におけるカウンターイオンは同じでも異なってもよい。式（ｙ−１）で表される化合物又はその塩は、イエロー系の染料である。以下、「式（ｙ−１）で表される化合物又はその塩」を、単に「（ｙ−１）染料」という場合がある。
【０１１３】
発明者らは、イエロー系の染料インクを種々検討した結果、（ｙ−１）染料を用いたインクは、イエロー系の他の染料を用いた染料インクと比較して、顔料インクと混合した場合に顔料インクの顔料の分散性を低下させにくいことを見出した。このような現象が生じるメカニズムの詳細は未だ不明であるが、（ｙ−１）染料のトリアジン環に結合する３−メチル−４−ヒドロキシ−アミノ基の特性が影響していると発明者らは推定している。
【０１１４】
本実施形態のインクセットに第１染料インクが含まれることにより、インクセットに含まれる顔料インクに第１染料インクが接触しても顔料インクの分散性が良好に保たれる。この傾向は、顔料インクがブラックのインクである場合により顕著である。すなわち、ブラックの顔料インクとイエロー系の従来のインクとが接触した場合のほうが、他の色の顔料インクとイエロー系の従来のインクとが接触した場合よりも顔料の分散性の劣化が著しい。また、ブラックの顔料インクが、イエロー系の従来のインクとが接触した場合のほうが、他の色の従来の染料インクとが接触した場合よりも、顔料の分散性の劣化が著しい。したがって、イエロー系の染料インクにおいて、（ｙ−１）染料を用いた本実施形態のインクセットでは、顔料インクの分散性を十分に良好に確保することができる。
【０１１５】
１．２．１．その他の染料
第１染料インクは、上記（ｙ−１）染料の他に、下記式（ｙ−２）で表される化合物又はその塩をさらに含んでもよい。
【０１１６】
【化１９】
2020122092.tif 000020
・・・（ｙ−２）
【０１１７】
式（ｙ−２）では、４つのカルボキシ基を含むが、それらはそれぞれ独立にカルボン酸塩の形態であってもよい。式（ｙ−２）で表される化合物の塩のカウンターイオンとしては、水素イオン（プロトン）、リチウム、ナトリウム、カリウム、アンモニウム等が挙げられ、４つのカルボキシ基におけるカウンターイオンは同じでも異なってもよい。式（ｙ−２）で表される化合物又はその塩は、イエロー系の染料である。以下、「式（ｙ−２）で表される化合物又はその塩」を、単に「（ｙ−２）染料」という場合がある。
【０１１８】
また、第１染料インクは、上記（ｙ−１）染料の他に、下記式（ｙ−３）で表される染料をさらに含んでもよい。
【０１１９】
【化２０】
2020122092.tif 000021
・・・（ｙ−３）
【０１２０】
式（ｙ−３）では、４つのカルボキシ基を含むが、それらはそれぞれ独立にカルボン酸塩の形態であってもよい。式（ｙ−３）で表される化合物の塩のカウンターイオンとしては、水素イオン（プロトン）、リチウム、ナトリウム、カリウム、アンモニウム等が挙げられ、４つのカルボキシ基におけるカウンターイオンは同じでも異なってもよい。式（ｙ−３）で表される化合物又はその塩は、イエロー系の染料である。以下、「式（ｙ−３）で表される化合物又はその塩」を、単に「（ｙ−３）染料」という場合がある。
【０１２１】
また、第１染料インクは、上記（ｙ−１）染料の他に、下記式（ｙ−４）で表される化合物又はその塩をさらに含んでもよい。
【０１２２】
【化２１】
2020122092.tif 000022
・・・（ｙ−４）
【０１２３】
式（ｙ−４）では、２つのスルホン酸基を含むが、それらはそれぞれ独立にスルホン酸塩の形態であってもよい。式（ｙ−４）で表される化合物の塩のカウンターイオンとしては、水素イオン（プロトン）、リチウム、ナトリウム、カリウム、アンモニウム等が挙げられ、２つのスルホン酸基におけるカウンターイオンは同じでも異なってもよい。式（ｙ−４）で表される化合物又はその塩は、イエロー系の染料である。以下、「式（ｙ−４）で表される化合物又はその塩」を、単に「（ｙ−４）染料」という場合がある。
【０１２４】
また、第１染料インクは、上記（ｙ−１）染料の他に、Ｃ．Ｉ．ダイレクトイエロー８６をさらに含んでもよい。さらに、第１染料インクは、上記（ｙ−１）染料の他に、Ｃ．Ｉ．ダイレクトイエロー１３２をさらに含んでもよい。
【０１２５】
Ｃ．Ｉ．ダイレクトイエロー８６及びＣ．Ｉ．ダイレクトイエロー１３２は、いずれもイエロー系の染料であり。試薬又は製品として市販品を用いることができる。
【０１２６】
第１染料インクは、（ｙ−２）染料、（ｙ−３）染料、（ｙ−４）染料、Ｃ．Ｉ．ダイレクトイエロー８６及びＣ．Ｉ．ダイレクトイエロー１３２から選ばれる染料を１種又は２種以上含んでもよい。しかしこの場合には、第１染料インクにおける（ｙ−１）染料の含有量が、第１染料インクに含まれる染料の全量に対して、６０．０質量％以上９９．０質量％以下であることが好ましく、６０．０質量％以上９０．０質量％以下であることがより好ましく、７０．０質量％以上９０．０質量％以下であることがさらに好ましく、８０．０質量％以上９０．０質量％以下であることがことさら好ましい。
【０１２７】
上述の（ｙ−１）染料は、イエロー系の色を呈するが、わずかに赤色に偏っている。これに対して（ｙ−２）染料、（ｙ−３）染料、（ｙ−４）染料、Ｃ．Ｉ．ダイレクトイエロー８６及びＣ．Ｉ．ダイレクトイエロー１３２は、イエロー系であってわずかに緑色に偏っている。そのため、これらの染料を第１染料インクが含むことにより、インクセットの色表現範囲を広げることができる場合がある。
【０１２８】
さらにこの場合において、第１染料インクにおける（ｙ−１）染料の含有量が、第１染料インクに含まれる染料の全量に対して、６０．０質量％以上９９．０質量％以下であれば、顔料インクと接した場合の顔料インクの成分の凝集を起こしにくく、かつ、色表現範囲を広げることができるので好ましい。
【０１２９】
なお、第１染料インクには、その他のイエロー系の染料が含まれてもよいが、色表現範囲を広げる効果は、上記（ｙ−２）染料、（ｙ−３）染料、（ｙ−４）染料、Ｃ．Ｉ．ダイレクトイエロー８６及びＣ．Ｉ．ダイレクトイエロー１３２に比較すれば、小さいと考えられる。しかし、第１染料インクに、その他のイエロー系の染料に用いる場合においても、第１染料インクにおける（ｙ−１）染料の含有量が、第１染料インクに含まれる染料の全量に対して、６０．０質量％以上９９．０質量％以下とすることが好ましい。
【０１３０】
１．２．２．その他の成分
第１染料インクは、界面活性剤、有機溶剤、水、その他の成分を含有してもよい。界面活性剤、有機溶剤、水、その他の成分については、上記「１．１．顔料インク」の項で述べたと同様であり、「顔料インク」を「第１染料インク」と読み替えるものとして説明を省略する。なお、第１染料インクは、顔料インクと異なり、顔料を含有しないので、顔料を定着させるための樹脂、及び、顔料を分散させるための顔料分散剤は、必要がなければ含有されなくてよい。
【０１３１】
第１染料インクに含まれる（ｙ−１）染料は、その構造上、他のイエロー系の染料に比較して疎水性が高いと考えられる。そのため、第１染料インクには、ｓｐ値が１２．５以下の有機溶剤を５．０質量％以上含有させることが好ましい。これにより、（ｙ−１）染料の溶解性を高め、長期放置により染料がヘッド内で析出することによって生じるノズル詰まりを防ぐことが出来る。またそのような有機溶剤のｓｐ値は、１１．０以下がより好ましく、１０．５以下がさらに好ましい。また、そのような有機溶剤の含有量は、７．０質量％以上がより好ましく、１０．０質量％以上がさらに好ましい。
【０１３２】
有機溶剤の「ｓｐ値」とは、相溶化パラメーター（Ｓｏｌｕｂｉｌｉｔｙ Ｐａｒａｍｅｔｅｒ）といい、溶解度パラメーターとも言うことができる。ｓｐ値は、以下に示されるハンセン（Ｈａｎｓｅｎ）の数式を用いて算出された値を意味する。Ｈａｎｓｅｎの溶解度パラメーターは、ヒルデブランド（Ｈｉｌｄｅｂｒａｎｄ）によって導入された溶解度パラメーターを、分散項δｄ、極性項δｐ、及び水素結合項δｈの３成分に分割し、３次元空間に表したものである。本明細書においては、ｓｐ値を［（ｃａｌ／ｃｍ３）１／２］単位で表し、下記数式を用いて算出される値を用いる。
ｓｐ値［（ｃａｌ／ｃｍ３）１／２］＝（δｄ２＋δｐ２＋δｈ２）１／２
【０１３３】
上記の分散（力）項δｄ、双極子間力（極性）項δｐ、及び水素結合（力）項δｈは、ハンセンやその研究後継者らによって多く求められており、例えばＰｏｌｙｍｅｒ  Ｈａｎｄｂｏｏｋ（ｆｏｕｒｔｈ  ｅｄｉｔｉｏｎ）のＶＩＩ−６９８〜７１１に掲載されている。また、多くの溶媒や樹脂に関するＨａｎｓｅｎの溶解度パラメーターが調べられており、例えば、Ｉｎｄｕｓｔｒｉａｌ  Ｓｏｌｖｅｎｔｓ Ｈａｎｄｂｏｏｋ（Ｗｅｓｌｅｙ  Ｌ．Ａｒｃｈｅｒ著）、「色材，７７［４］，１８８−１９２（２００４）」等に典型的な溶解度パラメーターが記載されている。これらの値を用いて有機溶剤のｓｐ値を求めることができる。
【０１３４】
１．３．第２染料インク
本実施形態のインクセットには、複数の染料インクが備えられてもよく、上述の第１染料インク以外に第２染料インクが備えられてもよい。また、第２染料インクは、インクセットに複数備えられてもよい。上述したように第１染料インクは、イエロー系のインクである。そのため、第２染料インクは、イエロー系以外の染料インクであることが好ましい。以下では、イエロー系以外の染料インクを第２染料インクとして説明する。
【０１３５】
第２染料インクは、イエロー系以外の染料、界面活性剤、有機溶剤、水、その他の成分を含有してもよい。界面活性剤、有機溶剤、水、その他の成分については、上記「１．１．顔料インク」の項で述べたと同様であり、「顔料インク」を「第２染料インク」と読み替えるものとして説明を省略する。なお、第２染料インクは、顔料インクと異なり、顔料を含有しないので、顔料を定着させるための樹脂、及び、顔料を分散させるための顔料分散剤は、必要がなければ含有されなくてよい。
【０１３６】
インクセットに備えられる第２染料インクの数は、任意である。第１染料インクがイエロー系のインクであるので、インクセットに備えられる第２染料インクは、例えば、シアンインク、マゼンタインクとすることが好ましい。既に述べたようにイエロー系の染料インクは、上述の第１染料インクのように（ｙ−１）染料を含まないと顔料インクの分散性を劣化させる恐れがあるからである。
【０１３７】
以下では、第２染料インクとしてのシアンインク及びマゼンタインクを説明する。また、シアンインク及びマゼンタインクであっても、それぞれ顔料インクの分散性を低下させにくいことが好ましく、それぞれ好ましい染料がある。
【０１３８】
１．３．１．シアンインク
シアンインクは、シアン系の染料を含有する。
シアン系の染料としては、
下記式（ｃ−１）で表される化合物又はその塩、
【０１３９】
【化２２】
2020122092.tif 000023
・・・（ｃ−１）
【０１４０】
下記式（ｃ−２）で表される化合物又はその塩、
【０１４１】
【化２３】
2020122092.tif 000024
・・・（ｃ−２）
【０１４２】
下記式（ｃ−３）で表される化合物又はその塩、
【０１４３】
【化２４】
2020122092.tif 000025
・・・（ｃ−３）
【０１４４】
（式（ｃ−３）中、ｂは、０≦ｂ≦４を満たし、ｃは、０≦ｃ≦４を満たし、ｂ＋ｃは、１≦（ｂ＋ｃ）≦４を満たす整数を表し、環Ａ１、Ａ２及びＡ３は、それぞれ、ベンゼン環、２，３−ピリジン環及び３，２−ピリジン環から選択され、かつ、環Ａ１、Ａ２及びＡ３の少なくとも一つは、２，３−ピリジン環又は３，２−ピリジン環であり、環Ａ１、Ａ２及びＡ３は同一でも異なっていてもよい。）
【０１４５】
下記式（ｃ−４）で表される化合物又はその塩、
【０１４６】
【化２５】
2020122092.tif 000026
・・・（ｃ−４）
【０１４７】
下記式（ｃ−５）で表される化合物又はその塩、
【０１４８】
【化２６】
2020122092.tif 000027
・・・（ｃ−５）
【０１４９】
（式（ｃ−５）中、環Ａ１、Ａ２及びＡ３は、それぞれ、ベンゼン環、２，３−ピリジン環及び３，２−ピリジン環から選択され、かつ、環Ａ１、Ａ２及びＡ３の少なくとも一つは、２，３−ピリジン環又は３，２−ピリジン環であり、環Ａ１、Ａ２及びＡ３は同一でも異なっていてもよく、ａは、１．０≦ａ≦３．０を満たし、ｂは、０．２≦ｂ≦１．８を満たし、ｃは、０．８≦ｃ≦１．６を満たし、かつ、ａ、ｂ及びｃは、０≦ａ＋ｂ＋ｃ≦４を満たし、ｘは、１≦ｚ≦３を満たす整数であり、Ｒ１は、炭素原子数１以上６以下の直鎖アルキレン基である。）
【０１５０】
下記式（ｃ−６）で表される化合物又はその塩、
【０１５１】
【化２７】
2020122092.tif 000028
・・・（ｃ−６）
【０１５２】
（式（ｃ−６）中、環Ａ、Ｂ、Ｃ、及びＤはそれぞれ独立に芳香性を有する６員環であり、かつ、環Ａ、Ｂ、Ｃ、及びＤの少なくともひとつはピリジン環又はピラジン環である。Ｅはアルキレン基である。Ｘは、スルホ置換アニリノ基、カルボキシ置換アニリノ基、又はホスホノ置換アニリノ基であり、該置換アニリノ基はさらに、スルホン酸基、カルボキシ基、ホスホノ基、スルファモイル基、カルバモイル基、ヒドロキシ基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる置換基を１乃至４個有してもよい。Ｙはヒドロキシ基又はアミノ基である。ａは、０．０≦ａ≦２．０を満たし、ｂは、０．０≦ｂ≦３．０を満たし、ｃは、０．１≦ｃ≦３．０を満たし、かつ、ａ、ｂ及びｃは、１．０≦ａ＋ｂ＋ｃ≦４．０を満たす。）
【０１５３】
下記式（ｃ−７）で表される化合物又はその塩、
【０１５４】
【化２８】
2020122092.tif 000029
・・・（ｃ−７）
【０１５５】
（式（ｃ−７）中、環Ａ、Ｂ、Ｃ及びＤは、それぞれ独立に、ベンゼン環又は含窒素複素芳香環を表し、かつ、前記含窒素複素芳香環の数は０．０より大きく３．０以下であるとともに残りはベンゼン環である。Ｒ１はアルキル基を表し、Ｒ２はアルキレン基を表し、Ｘは１以上のスルホン酸基を有するアニリノ基を表す。Ｘはカルボキシ基、リン酸基、ヒドロキシ基、アルコキシ基、アルキルカルボニルアミノ基、ウレイド基、ニトロ基、及びハロゲン原子からなる群より選択される置換基をさらに有してもよい。ｍは、０．０＜ｍ＜３．９であり、ｎは、０．１≦ｎ＜４．０であり、かつ、ｍ及びｎは、１．０≦（ｍ＋ｎ）＜４．０である。）
【０１５６】
下記式（ｃ−８）で表される化合物又はその塩、
【０１５７】
【化２９】
2020122092.tif 000030
・・・（ｃ−８）
【０１５８】
（式（ｃ−８）中、Ｒ１ないしＲ２４は、それぞれ独立に、水素原子、ハロゲン原子、アルキル基、シクロアルキル基、アルケニル基、アルキニル基、アリール基、アラルキル基、アシル基、アシルアミノ基、スルホニルアミノ基、アルコキシ基、アリールオキシ基、ヒドロキシ基、アミノ基、ニトロ基、シアノ基、スルホン酸基、カルボン酸基、スルファモイル基、カルバモイル基、アルコキシスルホニル基、アルコキシカルボニル基、アリールオキシスルホニル基、又はアリールオキシカルボニル基を表し、以下の（Ｘ）及び（Ｙ）の少なくとも一方を満たす。（Ｘ）Ｒ１ないしＲ２４の少なくとも１つが、スルホン酸基、又はカルボン酸基である。（Ｙ）Ｒ６、Ｒ７、Ｒ８、Ｒ９、Ｒ１６、Ｒ１７、Ｒ１８、及びＲ１９の少なくとも１つが、ハロゲン原子、アシル基、ニトロ基、又はシアノ基である。）
【０１５９】
下記式（ｃ−９）で表される化合物又はその塩、
【０１６０】
【化３０】
2020122092.tif 000031
・・・（ｃ−９）
【０１６１】
（式（ｃ−９）中、Ｒ１、Ｒ２、Ｒ３、及びＲ４は、それぞれ独立に、アルキル基、シクロアルキル基、アルケニル基、アラルキル基、アリール基、又はヘテロ環基を表し、Ｒ１、Ｒ２、Ｒ３、及びＲ４の少なくとも１つにはイオン性基が置換している。ｗ、ｘ、ｙ、及びｚは、それぞれ独立に１又は２を表す。）
及び、
Ｃ．Ｉ．ダイレクトブルー１９９から選択される１種又は２種以上、であることが好ましい。
【０１６２】
式（ｃ−Ａ）（Ａは、１〜９の数字）で表される化合物の塩のカウンターイオンとしては、水素イオン（プロトン）、リチウム、ナトリウム、カリウム、アンモニウム等が挙げられ、各基におけるカウンターイオンは同じでも異なってもよい。式（ｃ−Ａ）で表される化合物又はその塩は、シアン系の染料である。以下、「式（ｃ−Ａ）で表される化合物又はその塩」を、単に「（ｃ−Ａ）染料」という場合がある。
【０１６３】
また、シアン系の染料としては、Ｃ．Ｉ．ダイレクトブルー１、２、１５、７１、８６、８７、９８、１６５、２０２、等を用いてもよいが、上記の好ましい染料を主たる染料として用いることが好ましい。
【０１６４】
１．３．２．マゼンタインク
マゼンタインクは、マゼンタ系の染料を含有する。
【０１６５】
マゼンタ系の染料としては、
下記式（ｍ−１）で表される化合物又はその塩、
【０１６６】
【化３１】
2020122092.tif 000032
・・・（ｍ−１）
【０１６７】
下記式（ｍ−２）で表される化合物又はその塩、
【０１６８】
【化３２】
2020122092.tif 000033
・・・（ｍ−２）
【０１６９】
下記式（ｍ−３）で表される化合物又はその塩、
【０１７０】
【化３３】
2020122092.tif 000034
・・・（ｍ−３）
【０１７１】
（式（ｍ−３）中、Ｒ１、Ｒ５、Ｒ６及びＲ１０は、それぞれ独立に、アルキル基を表す。Ｒ３及びＲ８は、それぞれ独立に、水素原子、アルキル基、アルコキシ基、又はアリールオキシ基を表し、アルキル基、アルコキシ基、及びアリールオキシ基は、アルキル基、アリール基、アリールアルキル基、ヒドロキシル基、カルバモイル基、スルファモイル基、アルコキシ基、シアノ基、ハロゲン原子、及びイオン性基からなる置換基群より選択される少なくとも１種の置換基を有していてもよい。Ｒ２、Ｒ４、Ｒ７及びＲ９は、それぞれ独立に、水素原子、又は下記式（ｍ−３’）で表されるアシルアミノ基を表し、Ｒ２、Ｒ４、Ｒ７及びＲ９の少なくとも１つは下記式（ｍ−３’）で表されるアシルアミノ基である。Ｚは、ＳＯ３Ｈ基、ＳＯ３Ｍ基（Ｍはアンモニウムイオン又はアルカリ金属イオンを表す）、又はスルファモイル基を表す。Ｒ２、Ｒ３、Ｒ４、Ｒ７、Ｒ８及びＲ９の少なくとも１つが、イオン性基で置換されている場合には、ｎは０乃至３の整数を表し、イオン性基で置換されていない場合には、ｎは１ないし３の整数を表し、Ｚが存在する場合は芳香環の少なくとも１つの水素原子の位置に置換している。）
【０１７２】
【化３４】
2020122092.tif 000035
・・・（ｍ−３’）
【０１７３】
（式（ｍ−３’）中、Ｒ１１は、アルキル基、シクロアルキル基、アリール基、アリールアルキル基、アルケニル基、又はヘテロ環基を表し、アルキル基、シクロアルキル基、アリール基、アリールアルキル基、アルケニル基、及びヘテロ環基は、アルキル基、アリール基、アリールアルキル基、アルケニル基、アルコキシ基、シアノ基、アルキルアミノ基、スルホアルキル基、カルバモイル基、スルファモイル基、スルホニルアミノ基、ハロゲン原子、及びイオン性基からなる置換基群より選択される少なくとも１種の置換基を有していてもよい。＊は式（ｍ−３）の芳香環との結合部位を表す。）
及び、
Ｃ．Ｉ．ダイレクトレッド２２７から選択される１種又は２種以上であることが好ましい。
【０１７４】
式（ｍ−Ｂ）（Ｂは、１〜３の数字）で表される化合物の塩のカウンターイオンとしては、水素イオン（プロトン）、リチウム、ナトリウム、カリウム、アンモニウム等が挙げられ、各基におけるカウンターイオンは同じでも異なってもよい。式（ｍ−Ｂ）で表される化合物又はその塩は、シアン系の染料である。以下、「式（ｍ−Ｂ）で表される化合物又はその塩」を、単に「（ｍ−Ｂ）染料」という場合がある。
【０１７５】
また、マゼンタ系の染料としては、Ｃ．Ｉ．ダイレクトレッド１、４、９、８０、８１、２２５、Ｃ．Ｉ．アシッドレッド５２、８０、８２、２４９、２５４、２８９、を用いてもよいが、上記の好ましい染料を主たる染料として用いることが好ましい。
【０１７６】
本実施形態のインクセットは、顔料インクと、第１染料インクと、第２染料インクとして上述したシアンインクと、第２染料インクとして上述したシアンインクと、を含んでもよい。インクセットをこのように構成することにより、顔料インクと染料インクとが接触しても顔料インクの分散安定性を阻害しにくくすることができる。
【０１７７】
１．４．インクの物性等
顔料インク、第１染料インク及び第２染料インクは、紙、フィルム、布帛等の記録媒体にインクジェット法により付着されることが好ましい。そのため、各インクの粘度は、２０℃において、１．５ｍＰａ・ｓ以上１５．０ｍＰａ・ｓ以下とすることが好ましく、１．５ｍＰａ・ｓ以上５．０ｍＰａ・ｓ以下とすることがより好ましく、１．５ｍＰａ・ｓ以上３．６ｍＰａ・ｓ以下とすることがより好ましい。各インクが、インクジェット法によって記録媒体に付着される場合、所定の画像を効率的に形成することが容易である。
【０１７８】
顔料インク、第１染料インク及び第２染料インクは、記録媒体への濡れ拡がり性を適切なものとする観点から、２５．０℃における表面張力が、４０．０ｍＮ／ｍ以下、好ましくは３８．０ｍＮ／ｍ以下、より好ましくは３５．０ｍＮ／ｍ以下、さらに好ましくは３０．０ｍＮ／ｍ以下であることが好ましい。なお、表面張力の測定は、自動表面張力計ＣＢＶＰ−Ｚ（協和界面科学社製）を用いて、２５．０℃の環境下で白金プレートを組成物で濡らしたときの表面張力を確認することにより測定することができる。
【０１７９】
２．実施例及び比較例
以下、本発明を実施例によって具体的に説明するが、本発明はこれらの実施例に限定されるものではない。以下、「部」「％」は、特に記載のない限り、質量基準である。
【０１８０】
２．１．染料インク及び顔料インクの調製
表１に示す材料組成にて、材料組成の異なるイエロー染料インクＹ１〜Ｙ１５、表２に示す材料組成にて、材料組成の異なるマゼンタ染料インクＭ１〜Ｍ７、表３に示す材料組成にて、材料組成の異なるシアン染料インクＣ１〜Ｃ１０、及び、表４に示す材料組成にて、材料組成の異なるブラック顔料インクＢｋ１〜Ｂｋ２を調製した。各インクは、表１〜表４に示す材料を容器中に入れ、マグネチックスターラーにて２時間撹拌混合した後、孔径５μｍのメンブランフィルターにて濾過してゴミや粗大粒子等の不純物を除去することにより調製した。なお、表１〜表４中の数値は、全て質量％を示し、純水はインクの全質量が１００質量％となるように添加した。
【０１８１】
【表１】
2020122092.tif 000036
【０１８２】
【表２】
2020122092.tif 000037
【０１８３】
【表３】
2020122092.tif 000038
【０１８４】
【表４】
2020122092.tif 000039
【０１８５】
表１〜表４中には、各インクに含まれるＬｉ／Ｎａ／Ｋの合計値を記載した。各インクに含まれるイオン量については以下の条件で島津製作所製イオンクロマトグラフにて測定した。
・使用カラム：島津製作所製イオン交換樹脂（Ｓｈｉｍ−ｐａｃｋ  ＩＣ−Ｃ４）
・移動相：シュウ酸溶液（２．５ｍｍｏｌ／Ｌ）
・流量：１．０ ｍＬ／ｍｉｎ
・試料注入量：５０μＬ
・カラム温度：４０℃
・サプレッサ：電気透析形
・検出器：電気伝導度検出器（３０℃）
なお、表中のイオン量の単位はｐｐｍである。
【０１８６】
表１〜表４中の主な材料は以下の通りである。
・（ｙ−１）〜（ｙ−４）：それぞれ上記（ｙ−１）染料〜（ｙ−４）染料であり、（ｙ−１）、（ｙ−３）、（ｙ−４）についてはナトリウム塩、（ｙ−２）についてはナトリウム及びカリウムの塩を用いた。
・（ｙ−５）は、下記式（ｙ−５）で表される化合物を用いた。
【０１８７】
【化３５】
2020122092.tif 000040
（ｙ−５）
【０１８８】
・ＤＹ８６：Ｃ．Ｉ．ダイレクトイエロー８６
・ＤＹ１３２：Ｃ．Ｉ．ダイレクトイエロー１３２
・（ｍ−１）〜（ｍ−３）：それぞれ上記（ｍ−１）染料〜（ｍ−３）染料であり、（ｍ−１）についてはナトリウム塩、（ｍ−２）についてはリチウム及びナトリウムの塩とした。
・（ｍ−３）については、
（式（ｍ−３）中、Ｒ１、Ｒ３、Ｒ５、Ｒ６、Ｒ８及びＲ１０は、メチル基を表す。Ｒ２及びＲ７は、式（ｍ−３’）で、Ｒ１１がｎ−Ｐｒ又はｎ−Ｂｕで表される基を表し、Ｒ４及びＲ９は水素原子を表す。Ｚは、−ＳＯ３Ｈ基を表す。ｎは２を表し、Ｚは、キサンテン骨格の２位及び７位の水素原子の位置に置換している。）
を満たす化合物とした。
・ＲＲ１４１：Ｃ．Ｉ．リアクティブレッド１４１
・ＡＲ２４９：Ｃ．Ｉ．アシッドレッド２４９
・ＡＲ２８９：Ｃ．Ｉ．アシッドレッド２８９
・ＤＲ２２７：Ｃ．Ｉ．ダイレクトレッド２２７
【０１８９】
・（ｃ−１）〜（ｃ−９）：それぞれ上記（ｃ−１）染料〜（ｃ−９）染料であり、（ｃ−１）〜（ｃ−３）についてはリチウム及びナトリウムの塩、（ｃ−４）〜（ｃ−９）についてはナトリウム塩を用いた。
【０１９０】
・（ｃ−３）については、
（式（ｃ−３）中、ｂは、０≦ｂ≦４を満たし、ｃは、０≦ｃ≦４を満たし、ｂ＋ｃは、１≦（ｂ＋ｃ）≦４を満たす整数を表し、環Ａ１、Ａ２、Ａ３は、それぞれ、ベンゼン環、２，３−ピリジン環及び３，２−ピリジン環から選択され、かつ、環Ａ１、Ａ２及びＡ３の少なくとも一つは、２，３−ピリジン環又は３，２−ピリジン環であり、環Ａ１、Ａ２及びＡ３は同一でも異なっていてもよい。）
を満たす化合物とした。
【０１９１】
・（ｃ−５）については、
（式（ｃ−５）中、環Ａ１、Ａ２及びＡ３は、それぞれ独立に、２，３−ピリジン環及び／又は３，２−ピリジン環であり、ａは、１．０であり、ｂは、１．８であり、ｃは、１．２であり、ａ、ｂ及びｃは、混合物における平均値である。また、Ｒ１が、−Ｃ６Ｈ１２−で表される。）
を満たす化合物とした。
【０１９２】
・（ｃ−６）については、
（式（ｃ−６）中、環Ａは、２，３−ピリド、環Ｂ、Ｃ、及びＤは、ベンゾ、Ｅはエチレン基である。Ｘは、２，５−ジスルホアニリノ基であり、Ｙはアミノ基である。ａは、０であり、ｂは、２であり、ｃは、１である。）
を満たす化合物とした。
【０１９３】
・（ｃ−７）については、
（式（ｃ−７）中、環Ａは、２，３−ピリド、環Ｂ、Ｃ及びＤは、ベンゾ、Ｒ１はメチル基を表し、Ｒ２はエチレン基を表し、Ｘは、２，５−ジスルホアニリノ基であり、ｍは約２．８、ｎは約０．２、ｍ＋ｎは約３．０である。）
を満たす化合物とした。
【０１９４】
・（ｃ−８）については、
（式（ｃ−８）中、Ｒ１、Ｒ３、Ｒ５、Ｒ１１、Ｒ１３、Ｒ１５は、メチル基を表し、Ｒ２は、Ｒ１２は、−ＮＨＣＯｉＰｒ基又は−ＮＨＣＯＣ３Ｈ６ＣＯＯＨ基を表し、Ｒ４、Ｒ６、Ｒ７、Ｒ８、Ｒ９、Ｒ１０、Ｒ１４、Ｒ１６、Ｒ１７、Ｒ１８、Ｒ１９、Ｒ２０、Ｒ２１、Ｒ２３、Ｒ２４は、水素原子を表し、Ｒ２２は、−ＳＯ３Ｈ基を表す。）
を満たす化合物とした。
【０１９５】
・（ｃ−９）については、
（式（ｃ−９）中、Ｒ１、Ｒ２、Ｒ３、及びＲ４は、−（ＣＨ２）３ＳＯ３Ｈ基を表し、ｗ、ｘ、ｙ、及びｚは、１を表す。）
を満たす化合物とした。
【０１９６】
・ＤＢ１９９：Ｃ．Ｉ．ダイレクトブルー１９９
・サーフィノール１０４ＰＧ５０：（商品名、エア・プロダクツ＆ケミカルズ社製）：アセチレングリコール系界面活性剤
・オルフィンＥ１０１０：（商品名、日信化学工業社製）：アセチレングリコール系界面活性剤
・プロキセル：プロキセルＸＬ２：（商品名、ＲＯＮＺＡ社製）：防かび剤・防腐剤
・ＥＤＴＡ：エチレンジアミン四酢酸２ナトリウム（試薬）：キレート化剤
・樹脂エマルジョン：スチレンアクリル酸共重合体（Ｔｇ：８０℃、重量平均分子量：２９００００、ＢＡＳＦジャパン社製）
【０１９７】
２．２．評価方法
２．２．１．各染料インクの耐オゾン性の評価
表５に示す各例のインクセットをインクジェットプリンター（商品名「ＥＷ−Ｍ６６０ＦＴ」、セイコーエプソン株式会社製）に装填し、記録媒体（写真用紙（光沢）、型番「ＥＰＳＯＮ写真用紙＜光沢＞」、セイコーエプソン株式会社製）に対して、色毎にベタパターン画像の記録を行い、評価サンプルを得た。ベタパターン画像の記録は、得られた画像のＯＤ（Ｏｐｔｉｃａｌ  Ｄｅｎｓｉｔｙ）が１．０となるようにＤｕｔｙを調整して行った。
【０１９８】
得られた評価サンプルをオゾンウェザーメーターＯＭＳ−Ｌ型（商品名、スガ試験機株式会社製）に設置して、温度２３℃、湿度５０％ＲＨ、およびオゾン濃度５ｐｐｍの条件下で、所定時間オゾンによる曝露試験を行った。
【０１９９】
その後、測色器（商品名「Ｘｒｉｔｅ  ｉ１」、Ｘｒｉｔｅ社製））を使用して、サンプルに記録された画像のオゾン曝露前後のＯＤ値を測定した。ＯＤ値の測定は、光源がＤ５０、視野角２°、シアンにはＲｅｄ、マゼンタにはＧｒｅｅｎ、イエローにはＢｌｕｅのフィルターを用いて行った。ブラックインク（顔料インク）は評価を行わなかった。
【０２００】
なお、耐オゾン性の評価は、得られた測定値（ＯＤ値）から、曝露試験後の各評価サンプルの画像の光学濃度残存率（Ｒｅｌｉｃｔ  Ｏｐｔｉｃａｌ  Ｄｅｎｓｉｔｙ：ＲＯＤ）求めることにより行った。ＲＯＤの算出方法は、「ＲＯＤ（％）＝（Ｄｎ／Ｄｏ）×１００（式中、Ｄｎは曝露試験終了後の画像のＯＤ値、Ｄｏは曝露試験開始前の画像のＯＤ値）」である。
【０２０１】
ＯＤ値が、ＭＡＸ（２．０）付近、１．５、１．０、０．５の４ポイントでのＲＯＤで以下の評価基準で判断し、表１〜表４に評価結果を記載した。
【０２０２】
Ａ：ＲＯＤが８０時間経過時までに７０％まで減少しない。
Ｂ：ＲＯＤが４０時間経過時までに７０％まで減少しない。
Ｃ：ＲＯＤが１６時間経過時までに７０％まで減少しない。
Ｄ：ＲＯＤが１６時間経過前に７０％まで減少する。
【０２０３】
２．２．２．各染料インクの耐光性の評価
耐オゾン性評価と同様にして得られた評価サンプルを、キセノンウェザーメーター（商品名：ＸＬ７５Ｓ、スガ試験機株式会社製）を使用し、温度が２３℃、湿度が５０％ＲＨ、照度７５ｋｌｕｘの条件下で曝露試験を行った。
【０２０４】
その後、測色器（商品名「Ｘｒｉｔｅ  ｉ１」、Ｘｒｉｔｅ社製））を使用して、耐オゾン性評価と同様にして、ＯＤ値が、ＭＡＸ（２．０）付近、１．５、１．０、０．５の４ポイントでのＲＯＤで以下の評価基準で判断し、表１〜表４に評価結果を記載した。
【０２０５】
Ａ：ＲＯＤが５００００ｋｌｘ・ｈ経過時までに７０％まで減少しない。
Ｂ：ＲＯＤが３００００ｋｌｘ・ｈ経過時までに７０％まで減少しない。
Ｃ：ＲＯＤが２００００ｋｌｘ・ｈ経過時までに７０％まで減少しない。
Ｄ：ＲＯＤが２００００ｋｌｘ・ｈ経過前に７０％まで減少する。
【０２０６】
２．２．３．各染料インクの耐湿性の評価
上記インクジェットプリンター（商品名「ＥＷ−Ｍ６６０ＦＴ」、セイコーエプソン株式会社製）を用いて、各インク、Ｃｙａｎ、Ｍａｇｅｎｔａ、Ｙｅｌｌｏｗ、Ｂｌａｃｋの色の文字、及び白抜き文字（各色のベタ画像に、白抜きで文字を形成したもの）並びに各インク用いた自然画を、記録媒体（写真用紙（光沢）、型番「ＥＰＳＯＮ写真用紙＜光沢＞」、セイコーエプソン株式会社製）に、４０℃、８５％ＲＨ環境下で印刷し、２４℃、５０％ＲＨ環境下で２４時間乾燥した。次いで、これらを光の当たらない３５℃、８５％ＲＨの環境下に静置した。この環境で４日間静置後、文字及び白抜き文字の滲みの程度を観察し、以下の基準にしたがって評価を行なった。
【０２０７】
Ａ：目視及び光学顕微鏡で観察しても滲みが全く観察されない。
Ｂ：目視では滲みがないが光学顕微鏡で滲みが観察されない。
Ｃ：−
Ｄ：目視において滲みが観察され、文字太りや白抜き文字の染まりが見られる。
【０２０８】
２．２．４．各染料インクの普通紙における発色性（普通紙ＯＤ）の評価
耐オゾン性評価と同様にして得られた評価サンプルのＯＤ値を同様に測定してその値を用いて発色性を評価した。サンプルは、インクジェットプリンター（商品名「ＥＷ−Ｍ６６０ＦＴ」、セイコーエプソン株式会社製）にて普通紙（Ｘｅｒｏｘ  ４２００：商品名、富士ゼロックス社製）に印刷したパターンとし、単色／二次色のパターンを印刷後、ＯＤ値、Ｌａｂを測色し、Ｇａｍｕｔ体積を計算した。印刷環境は、２５℃、４０％ＲＨとし、測定機は同様とした。以下の評価基準で評価して、結果を表１〜表４に記載した。
【０２０９】
Ａ：ＯＤ値が２．０以上
Ｂ：ＯＤ値が１．９以上２．０未満
Ｃ：ＯＤ値が１．８以上１．９未満
Ｄ：ＯＤ値が１．８未満
【０２１０】
２．２．５．各染料インクのＣＬ誘発の評価
表１〜表３に示す各染料インクと表４に示す顔料インクＢｋ−１をインクジェットプリンター（商品名「ＥＷ−Ｍ６６０ＦＴ」、セイコーエプソン株式会社製）に装填し、２５℃、４０％ＲＨにてノズルチェックパターンを印字して、全ノズルが正常吐出することを確認した。その後ヘッドクリーニングを１回動作させた後、そのまま３０分間室温放置した。再度ノズルチェックパターンを印字した時のノズル抜け本数を観察した。この一連動作を３回実施し、３回の平均ノズル抜け本数を算出して、以下の基準で判定した。なお、前記プリンターのヘッドクリーニング動作にはワイパ部材でノズル面を拭くワイピング動作が含まれているため、顔料インクと染料インクが混合することになる。評価基準は以下の通りであり、評価結果を表１〜表３に記載した。
【０２１１】
［判定基準］   
Ａ：成功率が９０％以上
Ｂ：成功率が８０％以上９０％未満
Ｃ：成功率が７０％以上８０％未満
Ｄ：成功率が７０％未満
【０２１２】
２．２．６．各染料インクの溶解性の評価
各染料インクの溶解性を以下のように評価した。イエローインク、マゼンタインク、シアンインクを調製後、スポイトにてインクを１滴スライドガラスに適下後、カバーガラスを被せて４０℃環境にて１日放置後に固化物が析出しているか顕微鏡にて確認を行い、下記判定基準により、溶解安定性を評価した。
Ａ：固化物が発生していない。 
Ｂ：カバーガラスの端部に固化物が発生している。
Ｃ：カバーガラス中央部まで固化物が発生している
【０２１３】
２．２．７．インクセットの耐オゾン性の評価
単色での耐オゾン性評価結果から、以下の評価基準を基に、インクセットとしての耐オゾン性の評価を行い、結果を表５に記載した。
Ａ：耐オゾン性評価結果が、３色について全てＡである。
Ｂ：耐オゾン性評価結果が、３色のうち１種以上でＢランクのインクが存在する。
Ｃ：耐オゾン性評価結果が、３色のうち１種以上でＣランクのインクが存在する。
Ｄ：耐オゾン性評価結果が、３色のうち１種以上でＤランクのインクが存在する。
【０２１４】
２．２．８．インクセットの耐光性の評価
単色での耐光性評価結果から、以下の評価基準を基に、インクセットとしての耐オゾン性の評価を行い、結果を表５に記載した。
Ａ：耐光性評価結果が、３色について全てＡである。
Ｂ：耐光性評価結果が、３色のうち１種以上でＢランクのインクが存在する。
Ｃ：耐光性評価結果が、３色のうち１種以上でＣランクのインクが存在する。
Ｄ：耐光性評価結果が、３色のうち１種以上でＤランクのインクが存在する。
【０２１５】
２．２．９．インクセットの耐湿性の評価
単色での耐湿性評価結果から、以下の評価基準を基に、インクセットとしての耐オゾン性の評価を行い、結果を表５に記載した。
Ａ：耐湿性評価結果が、３色について全てＡである。
Ｂ：耐湿性評価結果が、３色のうち１種以上でＢランクのインクが存在する。
Ｃ：耐湿性評価結果が、３色のうち１種以上でＣランクのインクが存在する。
Ｄ：耐湿性評価結果が、３色のうち２種以上でＤランクのインクが存在する。
【０２１６】
２．２．１０．インクセットのＧａｍｕｔ彩度の評価
普通紙における発色性（普通紙ＯＤ）の評価で得たＧａｍｕｔ体積を以下の基準にて評価して結果を表５に記載した。
Ａ：ガマット体積が１６００００以上
Ｂ：ガマット体積が１５５０００以上１６００００未満
Ｃ：ガマット体積が１５００００以上１５５０００未満
Ｄ：ガマット体積が１４５０００以上１５００００未満
【０２１７】
２．２．１１．インクセットのＣＬ誘発の評価
表１〜表３に示す各染料インクと表４に示す顔料インクＢｋ−１をインクジェットプリンター（商品名「ＥＷ−Ｍ６６０ＦＴ」、セイコーエプソン株式会社製）に装填し、２５℃、４０％ＲＨにてノズルチェックパターンを印字して、全ノズルが正常吐出することを確認した。その後ヘッドクリーニングを１回動作させた後、そのまま３０分間室温放置した。再度ノズルチェックパターンを印字した時のノズル抜け本数を観察した。この一連動作を３回実施し、３回の平均ノズル抜け本数を算出して、以下の基準で判定した。なお、前記プリンターのヘッドクリーニング動作にはワイパ部材でノズル面を拭くワイピング動作が含まれているため、顔料インクと染料インクが混合することになる。評価基準は以下の通りであり、評価結果を表５に記載した。
Ａ：成功率が９０％以上
Ｂ：成功率が８０％以上９０％未満
Ｃ：成功率が７０％以上８０％未満
Ｄ：成功率が７０％未満
【０２１８】
【表５】
2020122092.tif 000041
【０２１９】
２．３．評価結果
表５に示されるように、顔料インクと、（ｙ−１）染料を含む染料インクと、を備えた各実施例のインクセットは、ＣＬ誘発の評価が良好であった。これに対して（ｙ−１）染料を含まない染料インクを用いた比較例のインクセットは、ＣＬ誘発の評価が不良であった。
【０２２０】
本発明は、上述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。